(57)【要約】      （修正有）【課題】配達品を包装した包装部材から剥離すると破断されて、届け先記載部及び依頼主記載部に記載された情報を視認不能とする配達用宛名ラベルを提供する。【解決手段】配達用宛名ラベル１は、表面には届け先記載部９、依頼主記載部１０を設け、裏面に設けた粘着剤を剥離紙で被覆してなる、剥離紙を剥離して配達品の包装尾部材に貼付するためのものであって、届け先記載部９及び依頼主記載部１０に対応して、配達用宛名ラベル１を貼付した配達品の包装部材から剥離すると届け先記載部９及び依頼主記載部１０が破断されるように切り込み１６を設けたものである。【選択図】図１
2009025678.tif 000002
【特許請求の範囲】
【請求項１】
表面には届け先記載部、依頼主記載部を設け、裏面に設けた粘着剤を剥離紙で被覆してなる、剥離紙を剥離して配達品の包装部材に貼付するための配達用宛名ラベルであって、前記届け先記載部及び依頼主記載部に対応して、配達用宛名ラベルを貼付した配達品の包装部材から剥離すると前記届け先記載部及び依頼主記載部が破断されるように切り込みを設けたことを特徴とする配達用宛名ラベル。
【請求項２】
表面に届け先記載部、依頼主記載部を設けたラベル用紙の裏面にラベル基材を剥離可能に設け、ラベル基材の裏面には粘着剤を設けるとともに剥離紙で被覆してなる、剥離紙を剥離して配達品の包装部材に貼付するための配達用宛名ラベルであって、前記届け先記載部及び依頼主記載部に対応して、ラベル用紙をラベル基材から剥離すると前記届け先記載部及び依頼主記載部が破断されるように切り込みを設ける一方、ラベル用紙を剥離した後に露出するラベル基材の表面には、配達品の包装部材に表示した図柄と同一の図柄を表示したことを特徴とする配達用宛名ラベル。
【発明の詳細な説明】
【技術分野】
【０００１】
本発明は、宅配便の配達作業に使用する宛名ラベルに関し、詳細には、宅配便で取り扱う配達品を包装した包装部材、具体的には包装紙または包装容器に貼付して使用する配達用宛名ラベルに関する。
【背景技術】
【０００２】
一般に、宅配便の配達作業で使用する配達用宛名ラベルは、表面に届け先記載部及び依頼主記載部を有し、届け先の住所、氏名及び配達依頼者の住所、氏名が記載された状態で配達品の包装紙または包装容器に貼付されるが、これらの記載情報は個人情報として保護されるべきものである。ところが、配達品を届け先に配達した後に、不要となった包装紙や包装容器を廃棄する際、配達用宛名ラベルに記載された届け先や依頼者の住所、氏名という記載情報を他人に見られたり、配達用宛名ラベルを包装紙または包装容器から剥離されて前記記載情報が漏洩してしまうという事態を生じていた。
【０００３】
このような事態を防ぐには、既に不要となった届け先や依頼者の住所、氏名という記載情報を表示した配達用宛名ラベルを、包装紙または包装容器から剥離したうえ、破断した後、廃棄すればよい。しかし、従来の配達用宛名ラベルは、裏面の粘着剤で強固に包装紙または包装容器に接着されている（特許文献１）。このため、剥がすのが困難なうえ、さらにこれを破断するのは煩雑でめんどうであるという不都合があった。
【０００４】
【特許文献１】特開２００３−３４１２５６号公報
【発明の開示】
【発明が解決しようとする課題】
【０００５】
本発明は、このような事情に鑑みてなされたもので、包装紙または包装容器から剥離すると届け先記載部及び依頼主記載部が破断されて、前記各記載部に記載された情報を視認不能とする配達用宛名ラベルを提供することを目的とする。
【課題を解決するための手段】
【０００６】
この目的を達成するために、本発明の請求項１に係る配達用宛名ラベルは、表面には届け先記載部、依頼主記載部を設け、裏面に設けた粘着剤を剥離紙で被覆してなる、剥離紙を剥離して配達品の包装部材に貼付するための配達用宛名ラベルであって、前記届け先記載部及び依頼主記載部に対応して、配達用宛名ラベルを貼付した配達品の包装部材から剥離すると前記届け先記載部及び依頼主記載部が破断されるように切り込みを設けたものである。なお、配達用宛名ラベルは、ラベル用紙の裏面に剥離紙を直接的に剥離可能に設ける構成と、ラベル用紙の裏面に剥離可能に設けたラベル基材を介して剥離紙を間接的に剥離可能に設ける構成とがある。
【０００７】
同じく上記目的を達成するために、本発明の請求項２に係る配達用宛名ラベルは、表面に届け先記載部、依頼主記載部を設けたラベル用紙の裏面にラベル基材を剥離可能に設け、ラベル基材の裏面には粘着剤を設けるとともに剥離紙で被覆してなる、剥離紙を剥離して配達品の包装部材に貼付するための配達用宛名ラベルであって、前記届け先記載部及び依頼主記載部に対応して、ラベル用紙をラベル基材から剥離すると前記届け先記載部及び依頼主記載部が破断されるように切り込みを設ける一方、ラベル用紙を剥離した後に露出するラベル基材の表面には、配達品の包装部材に表示した図柄と同一の図柄を表示したものである。
【発明の効果】
【０００８】
本発明に係る配達用宛名ラベルによれば、配達用宛名ラベルを貼付した配達品の包装紙または包装容器から剥離すると、前記届け先記載部及び依頼主記載部が切り込みによって破断されて、前記各記載部に記載した情報は視認不能となるので、情報の漏洩を防ぐことができる、という効果を奏する。
【発明を実施するための最良の形態】
【０００９】
以下、本発明の好適な実施形態を添付図面に基づき説明する。ここにおいて、図１〜図３は第１の実施形態を示し、図１は配達用宛名ラベルの平面図、図２は図１のＡ−Ａ線断面図、図３は包装部材に貼付した配達用宛名ラベルのラベル用紙を剥離した状態を示す平面図であり、また、図４は第２の実施形態を示す配達用宛名ラベルの断面図である。
【００１０】
図１及び図２に示すように、配達用宛名ラベル１は、ラベル用紙である貼付票２と、配達票兼受領票３と、これら両票２，３の裏面に剥離可能な接着剤４を介して疑似接着したラベル基材５と、ラベル基材５の裏面に粘着剤６を介して剥離可能に接着した剥離紙７とからなる。前記貼付票２と、前記配達票兼受領票３はスリット８によって区画形成されている。前記貼付票２の表面には、届け先記載部９と依頼主記載部１０と品名記載部１１とを設け、前記配達票兼受領票３の表面には、届け先記載部１２と依頼主記載部１３と品名記載部１４と受領印捺印部１５とを設けている。
【００１１】
貼付票２の届け先記載部９と依頼主記載部１０に対応して、直線状に若干の間隔を置いて伸びるとともに平行に複数列配置してなる多数の切り込み１６を設けている。図２で理解できるように、これら切り込み１６は、ラベル用紙たる貼付票２にのみ設けられ、ラベル基材５には設けられていない。また、ラベル基材５の表面（貼付票２及び配達票兼受領票５の接着面）には、配達品の包装部材である包装紙（または包装容器）１７の図柄１８と同一の図柄１９があらかじめ印刷されている（図３参照）。
【００１２】
本実施形態は以上のように構成したので、図１に示す配達用宛名ラベル１の状態で、あらかじめ届け先、依頼主、品名に関する印字データを互いに紐付けして、入力しておいたコンピュータの出力装置である適宜なプリンタにかけて、貼付票２と配達票兼受領票５の各届け先記載部９, １２と依頼主記載部１０, １３と品名記載部１１, １４に前記印字データを印字する（印字状態は図示せず）。なお、この印字に換えて各情報を手書きしてもよい。
【００１３】
配達作業に必要な情報を印字、あるいは手書きした配達用宛名ラベル１は、剥離紙７を剥離して、配達商品を包装した包装紙（または包装容器）１７に、ラベル基材５の裏面の粘着剤６で接着する。この状態で配達作業を行うものであり、配達作業の適宜な時点で、配達票兼受領票５は配達ドライバーによって剥離される。この時、配達票兼受領票５に対応するラベル基材５表面が露出するが、この露出面には包装紙（または包装容器）１７に表示された図柄１８と同一の図柄１９が表示されているので、視覚的な違和感を生じない（図３参照）。
【００１４】
配達ドライバーは届け先記載部９に記載された届け先に配達品を届けた際、配達票兼受領票５の受領印捺印部１５に受領印を押して貰い、配送センターに持ち帰る。一方、届け先においては、貼付票２をラベル基材５から剥離すると、スリット１６によって貼付票２の届け先記載部９及び依頼主記載部１０は細かく破断された状態となるので、これら各記載部９，１０に記載された情報は視認不能となり、貼付票２を廃棄しても前記情報が漏洩することはない。
【００１５】
図４は本発明に係る第２の実施形態を示すもので、本実施形態では、配達用宛名ラベル２１は、ラベル用紙である貼付票２２の裏面に粘着剤２３を介して剥離可能に接着した剥離紙２４とからなる。前記貼付票２２の表面には、図示していないが、第１の実施形態と同様に、届け先記載部と依頼主記載部と品名記載部とを設けている。また、貼付票２２の届け先記載部と依頼主記載部に対応して、直線状に若干の間隔を置いて伸びるとともに平行に複数列配置してなる多数の切り込み２５を設けている。この切り込み２５も第１の実施形態の切り込み１６と同様に設けられている（図１参照）。
【００１６】
本実施形態にあっては、配達票兼受領票は別体として形成されているが、第１の実施形態と同様にして配達作業を行うことができる。そして、配達後に届け先において、貼付票２２を配達品の包装紙または包装容器から剥離すると、スリット２５によって貼付票２の届け先記載部及び依頼主記載部は細かく破断された状態となるので、これら各記載部に記載された情報は視認不能となり、貼付票２２を廃棄しても前記情報が漏洩することはない。
【００１７】
なお、本発明は、上述した各実施形態に限定されるものではなく、例えば、ラベル基材５に表示した図柄１９は必ずしも設ける必要はない。また、スリット１６，２５は直状に複数列設ける構成に限定されず、曲状に設けるなど種々変更可能である。さらに、切り込みは、スリット１６，２５に換えて、ミシン目で構成してもよい。
【図面の簡単な説明】
【００１８】
【図１】配達用宛名ラベルの平面図。
【図２】図１のＡ−Ａ線断面図。
【図３】包装部材に貼付した配達用宛名ラベルのラベル用紙を剥離した状態を示す平面図。
【図４】第２の実施形態を示す配達用宛名ラベルの断面図。
【符号の説明】
【００１９】
１, ２１      配達用宛名ラベル
２, ２２      貼付票
３      配達票兼受領票
４      剥離可能な接着剤
５      ラベル基材
６, ２３      粘着剤
７, ２４      剥離紙
９, １２      届け先記載部
１０, １３      依頼主記載部
１１, １４      品名記載部
１６, ２５      スリット
【図１】
2009025678.tif 000003
【図２】
2009025678.tif 000004
【図３】
2009025678.tif 000005
【図４】
2009025678.tif 000006